(57)【特許請求の範囲】
【請求項１】
シャーシ側に支持されて駆動モータからの駆動力を伝達する回転カムギヤの回転軸部とこの回転カムギヤの回転位置からモードを検出するモード検出スイッチの回転軸部とを互いに挿入離脱自在に構成し、これらの回転軸部に、互いに嵌合して回転カムギヤの回転力を伝達する凹部と凸部とを形成し、回路基板の回路部分にモード検出スイッチの出力端子を結合させて取り付け、モード検出スイッチの回転軸部とシャーシ側に支持された回転カムギヤの回転軸部とを挿入させて前記凹部と凸部とを係合させ、
モード検出スイッチの回転軸部とともに一体的に回転する回転軸部側カバー材に位置決め用の突部または窪みを形成し、回路基板側に固定される基台における前記回転軸部側カバー材に対向する箇所の一部に、前記回転軸部側カバー材の突部または窪みに係合する窪みまたは突部を形成し、前記回転軸部側カバー材に形成した位置決め用の突部または窪みは、前記基台に形成した突部または窪みに対して、回転動作に伴って力が加えられることにより離脱できるように構成されている磁気記録再生装置。
【請求項２】
凹部と凸部との少なくとも一方に、相手側の回転軸部の凸部または凹部への嵌入を案内する傾斜面または湾曲面を形成した請求項１に記載の磁気記録再生装置。
【請求項３】
モード検出スイッチに、回路基板に係合してモード検出スイッチを支持する爪部と、回路基板に係合してモード検出スイッチの位置決めを行う突起とを設けた請求項１または２に記載の磁気記録再生装置。
【発明の詳細な説明】
【０００１】
【発明の属する技術分野】
本発明は磁気記録再生装置に関するものである。
【０００２】
【従来の技術】
従来より、ビデオテープレコーダなどの磁気記録再生装置では、テープカセットの移動、テープ引き出しポストの移動、キャプスタン用ピンチローラの移動などを、複数のモード（カセットエジェクトモード，カセット下降モード，中間モード，再生モード，逆再生モード，早送り・巻戻しモードなど）に連動して適正な動作を行わせるべく、メインカムギヤを単一の駆動モータにより回転させながら、このメインカムギヤに係合する係合伝達部品を介して前記の各部品を駆動させる構造が採用されている。
【０００３】
この種の磁気記録再生装置では、前記メインカムギヤの位置を、絶対値を検出可能なロータリーエンコーダからなるモード検出スイッチで検出し、このモード検出スイッチの検出位置に基づいて前記駆動モータの制御を行わせるようになっている。
【０００４】
このモード検出スイッチの従来の取付構造としては、図５，図６に示すように、モード検出スイッチ１をねじ２でシャーシ３に取り付けた構造とされている。シャーシ３には、モード検出スイッチ１とともに、ローディングモータ４と、ローディングモータ４のウォームギヤ４ａにその第１ギヤ部５ａで噛合するウォームホイールギヤ５と、このウォームホイールギヤ５の第２ギヤ部５ｂにその第１ギヤ部６ａで噛合するメインカムギヤ６と、メインカムギヤ６の第２ギヤ部６ｂにその第１ギヤ部７ａで噛合するサブカムギヤ７とが取り付けられている。そして、サブカムギヤ７の第２ギヤ部７ｂにモード検出スイッチ１のギヤ部１ａが噛合されている。
【０００５】
モード検出スイッチ１は、図７に示すように、回転軸１ｂに連結されたブラシ１ｃが導電パターン１ｄ上を摺接しながら回転する構造とされ、電気信号を出力する複数の出力端子１ｅが設けられている。また、これらの出力端子１ｅの信号を回路基板８側に出力するために、回路基板８にコネクタ９が予め接続されて取り付けられている。そして、このコネクタ９にモード検出スイッチ１の出力端子１ｂが接触されて電気的に接続されている。
【０００６】
【発明が解決しようとする課題】
しかしながら、上記従来のモード検出スイッチの取付構造によれば、モード検出スイッチ１を回路基板８に接続するために、コネクタ９が必要となるため、その分だけ部品点数が多くなり、製造コストの増加を招いていた。
【０００７】
また、コネクタ９を設けないで、モード検出スイッチ１の出力端子１ｂと回路基板８とを配線コードなどにて接続することが考えられるが、この場合には、配線処理に手間や時間がかかり、これによっても、作業時間の増加などによる製造コストの増加を招くこととなる。
【０００８】
本発明は上記課題を解決するもので、製造コストを低減することができる磁気記録再生装置を提供することを目的とするものである。
【０００９】
【課題を解決するための手段】
上記課題を解決するために、本発明は、シャーシ側に支持されて駆動モータからの駆動力を伝達する回転カムギヤの回転軸部とこの回転カムギヤの回転位置からモードを検出するモード検出スイッチの回転軸部とを互いに挿入離脱自在に構成し、これらの回転軸部に、互いに嵌合して回転カムギヤの回転力を伝達する凹部と凸部とを形成し、回路基板の回路部分にモード検出スイッチの出力端子を結合させて取り付け、モード検出スイッチの回転軸部とシャーシ側に支持された回転カムギヤの回転軸部とを挿入させて前記凹部と凸部とを係合させ、モード検出スイッチの回転軸部とともに一体的に回転する回転軸部側カバー材に位置決め用の突部または窪みを形成し、回路基板側に固定される基台における前記回転軸部側カバー材に対向する箇所の一部に、前記回転軸部側カバー材の突部または窪みに係合する窪みまたは突部を形成し、前記回転軸部側カバー材に形成した位置決め用の突部または窪みは、前記基台に形成した突部または窪みに対して、回転動作に伴って力が加えられることにより離脱できるように構成されているものである。
【００１０】
これによれば、製造コストを低減することができる磁気記録再生装置を提供することができる。
【００１１】
【発明の実施の形態】
本発明の請求項１に記載の発明は、シャーシ側に支持されて駆動モータからの駆動力を伝達する回転カムギヤの回転軸部とこの回転カムギヤの回転位置からモードを検出するモード検出スイッチの回転軸部とを互いに挿入離脱自在に構成し、これらの回転軸部に、互いに嵌合して回転カムギヤの回転力を伝達する凹部と凸部とを形成し、回路基板の回路部分にモード検出スイッチの出力端子を結合させて取り付け、モード検出スイッチの回転軸部とシャーシ側に支持された回転カムギヤの回転軸部とを挿入させて前記凹部と凸部とを係合させ、モード検出スイッチの回転軸部とともに一体的に回転する回転軸部側カバー材に位置決め用の突部または窪みを形成し、回路基板側に固定される基台における前記回転軸部側カバー材に対向する箇所の一部に、前記回転軸部側カバー材の突部または窪みに係合する窪みまたは突部を形成し、前記回転軸部側カバー材に形成した位置決め用の突部または窪みは、前記基台に形成した突部または窪みに対して、回転動作に伴って力が加えられることにより離脱できるように構成されているものであり、この構成により、回転カムギヤの回転軸部の回転は回転軸部の凹部と凸部とを介してモード検出スイッチの回転軸部に良好に伝達され、回路基板の回路部分にモード検出スイッチの出力端子を直付けできるため、コネクタを設けたり、配線処理を行ったりすることが不要となる。また、この構成によれば、回転軸部同士の挿入嵌合動作を行う前に回転軸部側カバー材と基台との位置決め用の突部と窪みとを予め係合させておくことにより、モード検出スイッチの回転軸部が回転してしまって挿入嵌合動作に支障を来すことを防止することができる。
【００１２】
請求項２に記載の発明は、凹部と凸部との少なくとも一方に、相手側の回転軸部の凸部または凹部への嵌入を案内する傾斜面または湾曲面を形成したものであり、この構成によれば、回転軸部同士を挿入させる際に、回転軸部の凹部と凸部との相対位置が少し違っていた場合でも、傾斜面または湾曲面により凹部と凸部とが互いに嵌入するように案内されて、回転軸部同士の挿入嵌合動作を支障無く行わせることができる。
【００１４】
請求項３に記載の発明は、モード検出スイッチに、回路基板に係合してモード検出スイッチを支持する爪部と、回路基板に係合してモード検出スイッチの位置決めを行う突起とを設けたものであり、この構成によれば、回路基板の回路部分にモード検出スイッチの出力端子を結合させるに先立って、予め、モード検出スイッチの爪部と突起とを回路基板に係合させることにより、回路基板における正規の位置に位置決めされて支持された状態でモード検出スイッチの出力端子を回路基板の回路部分に結合させることができ、この結合作業を能率良く行うことができる。また、モード検出スイッチの位置決めを行う突起が形成されているので、位置決めを正確に行うことができるとともに、爪部で回路基板に係合しているため、万一、モード検出スイッチ自体に外力が作用した場合でも、この力を爪部で受けることができて、前記外力のためにモード検出スイッチの出力端子が変形したり、出力端子接合部分で断線を生じたりすることを防止できる。
【００１５】
以下、本発明の実施の形態にかかる磁気記録装置を図面に基づき説明する。
図１，図２において、１１は回転カムギヤで、下方に突出する回転軸部１１ａの基部部分には太径溝部１１ｂが形成され、この回転カムギヤ１１の太径溝部１１ｂが、シャーシ１２に形成された筒状部１２ａに嵌入されて回転自在に支持されている。シャーシ１２には取付ブラケット２７が係止されており、この取付ブラケット２７に駆動モータとしてのローディングモータ１３が取り付けられている。
【００１６】
ローディングモータ１３の駆動軸にはピニオン１４が連結され、このピニオン１４の回転が第１減速ギヤ１５と第２減速ギヤ１６とを介して回転カムギヤ１１に伝達される。すなわち、第１減速ギヤ１５および第２減速ギヤ１６はその回転軸がシャーシ１２に形成された２つの孔部と取付ブラケット１３に形成された孔部とに嵌入されて回転自在に支持されており、第１減速ギヤ１５の大径ギヤ部１５ａがピニオン１４に噛合し、第１減速ギヤ１５の小径ギヤ部１５ｂが第２減速ギヤ１６の大径ギヤ部１６ａに噛合し、第２減速ギヤ１６の大径ギヤ部１６ｂが回転カムギヤ１１の外周歯部１１ｃに噛合することにより、ローディングモータ１３の回転が減速されながら回転カムギヤ１１に伝達されて、回転カムギヤ１１が回転される。
【００１７】
回転カムギヤ１１の上面部と下面部とにはそれぞれカム溝１１ｄが形成され（上面部側のみ図示する）、上面部のカム溝１１ｄに一端部が係合するレバーや下面部のカム溝に係合する係合部品などを介して、テープカセットの移動機構、テープ引き出しポストの移動機構、キャプスタン用ピンチローラの移動機構などが駆動されるようになっている。
【００１８】
図１，図３に示すように、回転カムギヤ１１の回転軸部１１ａはシャーシ１２を貫通して下方に突出されているとともに略中間部より先端側は細径に形成されている。また、回転カムギヤ１１の回転軸部１１ａにおける中間部分には、凸部としての凸条山部１１ｅが形成されており、この凸条山部１１ｅの先端には先端ほど若干細くなるテーパ面１１ｆが形成されている。
【００１９】
図２に示すように、シャーシ１２の下方には所定間隔をあけて回路基板２１が配置され、この回路基板２１における回転カムギヤ１１の直下位置に、回転カムギヤ１１の回転位置からモードを検出するモード検出スイッチ２２が取り付けられている。
【００２０】
図３，図４に示すように、モード検出スイッチ２２は、導電パターン（図示せず）が上面に設けられている基台２３と、基台２３の中央に形成された孔に下部が係合して回転自在に支持された回転軸部２４と、この回転軸部２４と一体形成されているとともに裏面に導電パターンに接触する導電ブラシ（図示せず）が取り付けられている回転軸部側カバー材２５と、基台２３より下方に突出された複数の出力端子２６とから構成されている。
【００２１】
また、基台２３には、回路基板２１に係合してモード検出スイッチ２２を支持する一対の爪部２３ａと、回路基板２１に係合してモード検出スイッチの位置決めを行う突起２３ｂとが設けられており、回路基板２１の孔部にモード検出スイッチ２２の爪部２３ａと突起２３ｂとを嵌入させて位置決めして支持した状態で、出力端子２６を回路基板２１の回路部分にはんだ付け結合している。
【００２２】
モード検出スイッチ２２の回転軸部２４は、筒状とされて挿通孔２４ａが形成されているとともに、この挿通孔２４ａに回転カムギヤ１１の回転軸部１１ａの細径部分が挿入可能とされている。また、回転軸部２４には回転軸部２４の先端からその軸心方向に沿って延びる凹部としての溝２４ｂが形成され、モード検出スイッチ２２の回転軸部２４に回転カムギヤ１１の回転軸部１１ａの細径部分を挿入させた際に、回転カムギヤ１１の回転軸部１１ａの凸条山部１１ｅが溝２４ｂに嵌入するようになっている。また、回転軸部２４の溝２４ｂが開口されている箇所をも含めて回転軸部２４の先端内周にはテーパ面２４ｃが形成され、このテーパ面２４ｃにより回転カムギヤ１１の回転軸部１１ａおよび凸条山部１１ｅの嵌入を案内するようになっている。
【００２３】
そして、シャーシ１２に支持された回転カムギヤ１１の回転軸部１１ａが、回路基板２１に固定されたれたモード検出スイッチ２２の回転軸部２４に挿入され、回転カムギヤ１１の凸条山部１１ｅがモード検出スイッチ２２の回転軸部２４の溝２４ｂに嵌入されており、これにより、回転カムギヤ１１の回転がモード検出スイッチ２２に伝達されるようになっている。
【００２４】
また、図４に示すように、モード検出スイッチ２２の回転軸部側カバー材２５における外周部下面寄り箇所の一部には薄肉部２５ａが形成されているとともに、この薄肉部２５ａの下面には回転軸部２４の位置決めを行うための突部２５ｂが形成されている。そして、基台２３の外周部上面には、回転軸部側カバー材２５の突部２５ｂが係合可能な窪み２３ｃが形成されている。
【００２５】
次に、このモード検出スイッチ２２を作動できる状態に組みつける際の手順について説明する。
シャーシ１２の筒状部１２ａから回転カムギヤ１１の回転軸部１１ａを突出させるようにして回転カムギヤ１１をシャーシ１２に載置した後、シャーシ１２にローディングモータ１３，ピニオン１４，第１減速ギヤ１５，第２減速ギヤ１６などを組みつけて、回転カムギヤ１１をシャーシ１２により支持させる。
【００２６】
一方、モード検出スイッチ２２の爪部２３ａと突起２３ｂとを回路基板２１の孔部に係合させてモード検出スイッチ２２を回路基板２１に支持させた後、モード検出スイッチ２２の出力端子２６を回路基板２１の回路部分にはんだ付け結合する。これにより、コネクタや配線コードなどを用いることなくモード検出スイッチ２２を回路基板２１に接続して固定できる。
【００２７】
そして、このモード検出スイッチ２２が取り付けられた回路基板２１をシャーシ１１に対して組みつけて、回転カムギヤ１１の回転軸部１１ａをモード検出スイッチ２２の回転軸部２４に挿入させる。この際、モード検出スイッチ２２において、回転軸部側カバー材２５の突部２５ｂが基台２３の窪み２３ｃに係合するようにモード検出スイッチ２２の回転軸部２４を回転させておくことにより、回転軸部２４の回転位置を容易に位置決めできるとともに、回転位置が変わることを簡単に防止できる。また、回転カムギヤ１１も所定の回転位置に位置決めしておく。この回転軸部１１ａ，２４同士の挿入の際、回転カムギヤ１１の回転軸部１１ａの先端が細くされているとともに、モード検出スイッチ２２の回転軸部２４の先端内周にテーパ面２４ｃが形成されているため、モード検出スイッチ２２の回転軸部２４に容易に挿入される。また、回転カムギヤ１１の回転軸部１１ａにおける凸条山部１１ｅにテーパ面１１ｆが形成されているとともに、モード検出スイッチ２２の回転軸部２４における溝２４ｂにテーパ面２４ｃが形成されているため、回転カムギヤ１１の回転軸部１１ａとモード検出スイッチ２２の回転軸部２４との回転位置が少し違っていた場合でも、これらのテーパ面１１ｆ，２４ｃにて、凸条山部１１ｅが溝２４ｂに嵌入するように案内され、凸条山部１１ｅが溝２４ｂに良好に嵌合される。
【００２８】
このようにして、簡単な作業で能率良くモード検出スイッチ２２を組みつけることができる。また、回転カムギヤ１１の回転がモード検出スイッチ２２に伝達され、回転カムギヤ１１の回転位置をモード検出スイッチ２２により正確に検出することができる。
【００２９】
なお、モード検出スイッチ２２において回転軸部側カバー材２５の突部２５ｂが基台２３の窪み２３ｃに係合されてモード検出スイッチ２２の回転軸部２４が位置決めされているが、回転軸部側カバー材２５の突部２５ｂは薄肉部２５ａにより弾性的に保持されているだけなので、少しの力を加えるだけで回転軸部側カバー材２５の突部２５ｂは基台２３の窪み２３ｃから離脱でき、回転動作に支障を来すことはない。
【００３０】
また、上記実施の形態においては、回転カムギヤ１１の回転軸部１１ａがモード検出スイッチ２２の回転軸部２４に挿入される場合を説明したが、モード検出スイッチ２２の回転軸部２４を回転カムギヤ１１の回転軸部１１ａに挿入させるように構成してもよい。また、回転軸部１１ａ，２４に形成した凹部および凸部として、溝２４ｂと凸条山部１１ｅの場合を説明したが、これに限るものではなく、回転軸部１１ａ，２４の凹凸関係を逆にしても同様の作用を得られることは申すまでもない。さらに、相手側の回転軸部１１ａ，２４の凸部または凹部への嵌入を案内する案内面として傾斜面の代わりに湾曲面で形成してもよい。
【００３１】
【発明の効果】
以上のように本発明によれば、回転カムギヤの回転軸部とモード検出スイッチの回転軸部とを互いに挿入離脱自在に構成し、これらの回転軸部に、互いに嵌合して回転カムギヤの回転力を伝達する凹部と凸部とを形成し、回路基板の回路部分にモード検出スイッチの出力端子を結合させて取り付け、モード検出スイッチの回転軸部とシャーシ側に支持された回転カムギヤの回転軸部とを挿入させて前記凹部と凸部とを係合させることにより、コネクタを設けたり、配線処理を行ったりすることが不要となって、製造コストを削減することができる。
【００３２】
また、凹部と凸部との少なくとも一方に、相手側の回転軸部の凸部または凹部への嵌入を案内する傾斜面または湾曲面を形成することで、回転軸部同士の挿入嵌合動作を容易にかつ支障無く行わせることができ、作業能率が向上する。
【００３３】
また、モード検出スイッチの回転軸部とともに一体的に回転する回転軸部側カバー材に位置決め用の突部または窪みを形成し、回路基板側に固定される基台における前記回転軸部側カバー材に対向する箇所の一部に、前記回転軸部側カバー材の突部または窪みに係合する窪みまたは突部を形成することにより、モード検出スイッチの回転軸部が回転してしまって挿入嵌合動作に支障を来すことを防止することができる。
【００３４】
また、モード検出スイッチに、回路基板に係合してモード検出スイッチを支持する爪部と、回路基板に係合してモード検出スイッチの位置決めを行う突起とを設けることにより、モード検出スイッチの回路基板に対する位置決めを正確に行えながらモード検出スイッチの出力端子を回路基板の回路部分に結合させることができる。
【図面の簡単な説明】
【図１】本発明の実施の形態にかかる磁気記録再生装置における回転カムギヤ近傍箇所の平面図である。
【図２】同磁気記録再生装置における回転カムギヤおよびモード検出スイッチ近傍箇所の一部切欠正面図である。
【図３】同磁気記録再生装置における回転カムギヤおよびモード検出スイッチ近傍箇所の斜視図である。
【図４】同磁気記録再生装置におけるモード検出スイッチの斜視図である。
【図５】従来の磁気記録再生装置における回転カムギヤ近傍箇所の平面図である。
【図６】同従来の磁気記録再生装置における回転カムギヤおよびモード検出スイッチ近傍箇所の一部切欠正面図である。
【図７】（ａ）は従来の磁気記録再生装置におけるモード検出スイッチの分解斜視図、（ｂ）は同モード検出スイッチのスイッチ出力とモード切換の関係を示す図である。
【符号の説明】
１１        回転カムギヤ
１１ａ      回転軸部
１１ｅ      凸条山部（凸部）
１１ｆ      テーパ面
１２        シャーシ
１３        ローディングモータ（駆動モータ）
２１        回路基板
２２        モード検出スイッチ
２３        基台
２３ａ      爪部
２３ｂ      突起
２３ｃ      窪み
２４        回転軸部
２４ａ      挿通孔
２４ｂ      溝（凹部）
２４ｃ      テーパ面
２５        回転軸部側カバー材
２５ａ      薄肉部
２５ｂ      突部
２６        出力端子
【図１】
0003544800.tif 000002
【図２】
0003544800.tif 000003
【図３】
0003544800.tif 000004
【図４】
0003544800.tif 000005
【図５】
0003544800.tif 000006
【図６】
0003544800.tif 000007
【図７】
0003544800.tif 000008